(57)【特許請求の範囲】
【請求項１】
一側部に電極(40)(40)を並べた電池(４)が挿入されるケース本体(１)を具え、該ケース本体(１)には電極(40)(40)に電気的に接する端子片(２)(２)がケース本体(１)への電池挿入方向に直交する面内に設けられた電池ケースに於いて、
ケース本体(１)には、端子片(２)(２)に向けて電池(４)を斜め外側から内向きに押圧付勢することによって、端子片(２)(２)に電池(４)の一側部に並べられた電極(40)(40)を押圧付勢するバネ片(３)(３)が設けられたことを特徴とする電池ケース。
【請求項２】
バネ片(３)(３)は電池(４)をケース本体(１)の中央部に向けて付勢する請求項１に記載の電池ケース。
【請求項３】
一側部に電極(40)(40)を並べた電池(４)が挿入されるケース本体(１)を具え、該ケース本体(１)には電極(40)(40)に電気的に接する端子片(２)(２)がケース本体(１)への電池挿入方向に直交する面内に設けられた電気機器に於いて、
ケース本体(１)には、端子片(２)(２)に向けて電池(４)を斜め外側から内向きに押圧付勢することによって、端子片(２)(２)に電池(４)の一側部に並べられた電極(40)(40)を押圧付勢するバネ片(３)(３)が設けられたことを特徴とする電気機器。
【発明の詳細な説明】
【０００１】
【発明の属する技術分野】
本発明は、電池ケース及び該電池ケースを用いた電気機器に関する。
【０００２】
【従来の技術】
図８は、電池(４)の平面図である。これは、一側部の上端部に正負の電極(40)(40)を並べて設けて、上面が略楕円形を呈している。電池(４)の外面で、電極(40)(40)以外の箇所は、絶縁体にて形成されている。電池(４)の厚み方向の中央部Ｃから電極(40)までの寸法Ｂ１、及び幅方向の中央部Ｃから電極(40)(40)までの寸法Ｌ１は、電池製造メーカーによってバラ付きがある。
図９は、電池(４)が挿入される電池ケースの斜視図である。ケース本体(１)は絶縁性の合成樹脂から形成され、上下方向の中央部よりも稍上側に透窓(15)(15)を開設している。ケース本体(１)の外側には、電極(40)(40)に電気的に接する端子片(２)(２)が取り付けられており、該端子片(２)(２)の先端部は透窓(15)(15)を通ってケース本体(１)内に進入して、電池(４)の電極(40)(40)に接する。ケース本体(１)には、電池(４)がケース本体(１)の厚み方向及び幅方向に、余裕を持って挿入される。
【０００３】
【発明が解決しようとする課題】
電池(４)の幅方向の中央部から電極(40)(40)までの寸法Ｌ１には、バラ付きがある。従って、電池(４)がケース本体(１)に挿入された状態で、電池(４)が幅方向に沿って、ケース本体(１)との隙間分だけガタ付くと、電池(４)によっては電極(40)が端子片(２)に接触せずに、端子片(２)の側方の絶縁体部分に接してしまい、接触不良を引き起こす可能性がある。
また、電池(４)の厚み方向の中央部から電極(40)までの寸法Ｂ１もバラ付く。従って、電池(４)が厚み方向に沿って、ケース本体(１)との隙間分だけガタ付くと、端子片(２)の接触圧がバラ付き、ケース本体(１)に衝撃が加わった際に、通電が遮断される虞れがある。
本発明の目的は、電池がケース本体内にてガタ付いても、端子片との正確な通電状態を保つことにある。
【０００４】
【課題を解決する為の手段】
電池(４)の電極(40)(40)に電気的に接する端子片(２)(２)が電池挿入方向に直交する面内に設けられたケース本体(１)には、端子片(２)(２)に向けて電池(４)を斜め外側から内向きに押圧付勢することによって、端子片(２)(２)に電池(４)の一側部に並べられた電極(40)(40)を押圧付勢するバネ片(３)(３)が設けられている。
また、バネ片(３)(３)は電池(４)をケース本体(１)の中央部に向けて付勢する。
【０００５】
【作用及び効果】
バネ片(３)は、電池(４)を端子片(２)(２)に向けて付勢しており、電池(４)に対して、端子片(２)から離れる向きに衝撃が加わっても、電池(４)と端子片(２)(２)は接触し、通電状態を保つ。
また、バネ片(３)は、電池(４)を斜め外側から内向きに押圧付勢しており、電極(40)(40)が端子片(２)から横向きにずれる向きに電池(４)に衝撃が加わっても、電池(４)と端子片(２)(２)は接触し、通電状態を保つ。
従って、ケース本体(１)に対して外部から衝撃が加わっても、電池(４)は端子片(２)との接触状態を保ち、通電が遮断されることはない。
【０００６】
【発明の実施の形態】
以下、本発明の一例を図を用いて詳述する。
図１は、本発明の電池ケースが組み込まれる電気機器、具体的にはデジタルスチルカメラの斜視図である。デジタルスチルカメラは、周知の如く、キャビネット(９)に撮像レンズ(90)と覗き窓(91)を具え、一側部に電池が収納されるケース本体(１)が設けられている。
図２は、ケース本体(１)の斜視図であり、図３は、挿入される電池(４)(４a)の斜視図である。図３に示すように、電池には一次電池(４)と二次電池(４a)の２種類があり、両電池(４)(４a)は、幅Ｌと厚みＢが同じで、高さが異なる、具体的には二次電池(４a)の方が一次電池(４)よりも高い。また、二次電池(４a)の電極(40)(40)は、下向きに伸びて、下端が一次電池(４)の電極(40)(40)に一致する。一次電池(４)はケース本体(１)に挿入された際に、後記するリブ片(10)と上端部が接触して、ケース本体(１)内の上下ガタが規制され、二次電池(４a)にはリブ片(10)が嵌まる凹溝(41)が開設されている。
【０００７】
図２に示すケース本体(１)は合成樹脂製であり、平坦な正面(11)と背面(12)、側面である円弧面(13)(13)を合わせて、断面略楕円形に形成される。ケース本体(１)は下面が開口し、該開口は蓋体(図示せず)により覆われる。ケース本体(１)の下面開口から、電池(４)が挿入され、ケース本体(１)への電池挿入方向に直交する面内にて、ケース本体(１)の正面(11)に端子片(２)(２)が並んで配備される。端子片(２)(２)は、回路基板(図示せず)に繋がって、キャビネット(９)内の部品に給電する。
ケース本体(１)の天面裏側には、電池(４)を下向きに付勢する押しバネ(14)が設けられ、ケース本体(１)に電池(４)が挿入され、蓋体が閉じられた状態にて、押しバネ(14)は蓋体に向けて電池(４)を押す。ケース本体(１)の正面(11)には、端子片(２)(２)が通る透窓(15)(15)が開設されている。透窓(15)(15)の下方には、端子片(２)(２)がビス(図示せず)止めされるボス(16)(16)、及び端子片(２)(２)に嵌まる突起(17)(17)が設けられ、端子片(２)の上端部は透窓(15)(15)を通ってケース本体(１)内に進入する。
ケース本体(１)の円弧面(13)(13)には、凹面(７)が形成され、該凹面(７)内に受け部(70)と透孔(71)が設けられている。受け部(70)には、位置決め突起(72)(72)が設けられ、該位置決め突起(72)(72)にバネ片(３)が嵌まる。バネ片(３)の上端部は透孔(71)を通って、ケース本体(１)内に進入して、電池(４)の周面に接する。
【０００８】
図４は、図２のケース本体(１)を、Ａ−Ａ線を含む面にて破断した断面図であり、ケース本体(１)には一次電池(４)が収納されている。また、図５は、図４のケース本体(１)をＣ−Ｃ線を含む面にて破断した断面図、図６は、図４のケース本体(１)をＤ−Ｄ線を含む面にて破断した断面図である。
ケース本体(１)の正面(11)の内側からは、リブ片(10)が突出しており、該リブ片(10)が一次電池(４)の上面に接して、一次電池(４)は上向きに移動しすぎることが防止される。バネ片(３)はケース本体(１)の両円弧面(13)(13)に取り付けられ、弾性力によって電池(４)を斜め外側から内向きに押圧付勢している、具体的には端子片(２)(２)に向けて、図４のＦ方向に押圧付勢している。
【０００９】
このように、バネ片(３)は、電池(４)を端子片(２)(２)に向けて付勢しており、電池(４)に対して、端子片(２)から離れる向きに衝撃が加わっても、電池(４)と端子片(２)(２)は接触し、通電状態を保つ。
また、バネ片(３)は、電池(４)を斜め外側から内向きに押圧付勢しており(図４のＦ方向)、電極(40)(40)が端子片(２)から横向きにずれる向きに電池(４)に衝撃が加わっても、電池(４)と端子片(２)(２)は接触し、通電状態を保つ。特に、両バネ片(３)(３)が等しい押圧力で、電池(４)を押していれば、電池(４)は端子片(２)(２)に接した状態を保ちやすい。
従って、ケース本体(１)に対して外部から衝撃が加わっても、電池(４)は端子片(２)との接触状態を保ち、通電が遮断されることはない。
また、電池(４)がケース本体(１)内にて、幅方向にずれることが防止されるから、端子片(２)(２)の幅を従来に比して広くでき、端子片(２)(２)の剛性が高くなる。
【００１０】
図７(a)は、別のバネ片(３)を示す断面図であり、図７(b)は、図７(a)をＧ方向から見た図である。これは、中心軸(50)を突出したローラ(５)を透孔(71)に嵌め、中心軸(50)を透孔(71)の周縁部に置く。受け部(70)に取り付けたバネ片(３)により中心軸(50)を透孔(71)の周縁部に押圧して、ローラ(５)をケース本体(１)の外面に保持し、ローラ(５)を電池(４)の周面に当てる。
回転体であるローラ(５)を電池(４)の周面に当てているから、電池(４)とローラ(５)の摩擦係数は小さく、電池(４)はケース本体(１)に対してスムーズに挿脱できる。また、上記と同様に、ケース本体(１)に対して外部から衝撃が加わっても、電池(４)は端子片(２)との接触状態を保ち、通電が遮断されない。
【００１１】
上記実施例の説明は、本発明を説明するためのものであって、特許請求の範囲に記載の発明を限定し、或は範囲を減縮する様に解すべきではない。又、本発明の各部構成は上記実施例に限らず、特許請求の範囲に記載の技術的範囲内で種々の変形が可能であることは勿論である。
【図面の簡単な説明】
【図１】デジタルスチルカメラの斜視図である。
【図２】ケース本体の斜視図である。
【図３】電池の斜視図である。
【図４】図２のケース本体を、Ａ−Ａ線を含む面にて破断した断面図である。
【図５】図４のケース本体をＣ−Ｃ線を含む面にて破断した断面図である。
【図６】図４のケース本体をＤ−Ｄ線を含む面にて破断した断面図である。
【図７】(a)は、別のバネ片を示す断面図であり、(b)は、(a)をＧ方向から見た図である。
【図８】電池の平面図である。
【図９】従来の電池ケースの斜視図である。
【符号の説明】
(１)  ケース本体
(２)  端子片
(３)  バネ片
(４)  一次電池
(11)  正面
(40)  電極
【図１】
0003789773.tif 000002
【図２】
0003789773.tif 000003
【図３】
0003789773.tif 000004
【図４】
0003789773.tif 000005
【図５】
0003789773.tif 000006
【図６】
0003789773.tif 000007
【図７】
0003789773.tif 000008
【図８】
0003789773.tif 000009
【図９】
0003789773.tif 000010